(57)【要約】【課題】経年劣化に性能が低下した空調機に対して、空調機の制御パラメータを変更することで、ユーザが希望する性能で空調機を動作させる。【解決手段】制御パラメータ変更装置６９は、収集した空調機の現在と過去のセンサ情報に基づいて、空調機が劣化状態であるか否かを判定し、空調機が劣化状態であると判定された場合、ユーザが選択した運転方針を取得し、取得した運転方針に基づいて、制御パラメータを決定し、空調機の制御パラメータを決定した制御パラメータに変更する。【選択図】図２
2016065680.tif 000002
【特許請求の範囲】
【請求項１】
空調機を制御する空調機制御システムにおける、前記空調機の制御パラメータ変更方法であって、
前記空調機は、少なくとも前記空調機に設定された設定温度に基づいて制御パラメータを決定して運転しており、
前記空調機はセンサを備え、
前記センサが検知したセンサ情報を取得し、
前記取得したセンサ情報に基づいて、前記空調機が劣化状態であるか否かを判定し、
前記空調機が劣化状態であると判定された場合、ユーザが選択した前記空調機の運転方針を取得し、
前記取得した運転方針に基づいて、前記制御パラメータを決定し、
前記空調機の制御パラメータを、前記決定したものに変更する、
制御パラメータの変更方法。
【請求項２】
前記空調機の運転方針は、前記空調機の消費電力を抑えることを優先する方針、又は前記空調機の冷房機能又は暖房機能を強化させることを優先する方針を含む、
請求項１に記載の制御パラメータ変更方法。
【請求項３】
前記制御パラメータは、少なくとも前記空調機のファンモータの回転数を含む、
請求項２に記載の制御パラメータ変更方法。
【請求項４】
前記空調機は、設定温度が第１設定温度に設定されている時に、第１回転数でファンモータを回転して運転しており、
取得した前記空調機の運転方針が、前記空調機の消費電力を抑えることを優先する方針である場合、
設定温度が前記第１設定温度に設定されている状態において、ファンモータの回転数が前記第１回転数よりも少ない回転数となるように制御パラメータを決定する、
請求項３に記載の制御パラメータ変更方法。
【請求項５】
前記空調機は、設定温度が第１設定温度に設定されている時に、第１回転数でファンモータを回転して運転しており、
取得した前記空調機の運転方針が、前記空調機の冷房機能又は暖房機能を強化させることを優先する方針である場合、
設定温度が前記第１設定温度に設定されている状態において、ファンモータの回転数が前記第１回転数よりも多い回転数となるように制御パラメータを決定する、
請求項３に記載の制御パラメータ変更方法。
【請求項６】
前記センサが取得したセンサ情報は、少なくとも前記空調機の配管温度を含む、
請求項１から請求項５のいずれか一項に記載の制御パラメータ変更方法。
【請求項７】
空調機を制御する空調機制御システムにおける、前記空調機を制御する端末装置の制御用設定値表示変更方法であって、
前記空調機に設定された制御用設定値を、前記端末装置に表示しており、
前記空調機はセンサを備え、
前記センサが検知したセンサ情報を取得し、
前記取得したセンサ情報に基づいて、前記空調機が劣化状態であるか否かを判定し、
前記空調機が劣化状態であると判定された場合、ユーザが選択した前記空調機の運転方針を取得し、
前記取得した運転方針に基づいて、前記端末装置に表示する制御用設定値を決定し、
前記端末装置に表示する制御用設定値を、前記決定したものに変更する、
制御用設定値表示変更方法。
【請求項８】
前記空調機の運転方針は、前記空調機の消費電力を抑えることを優先する方針、又は前記空調機の冷房機能又は暖房機能を強化させることを優先する方針を含む、
請求項７に記載の制御用設定値表示変更方法。
【請求項９】
前記制御用設定値は、少なくとも前記空調機の表示上の設定温度を含む、
請求項８に記載の制御用設定値表示変更方法。
【請求項１０】
前記空調機が冷房運転を行っている状態で、前記空調機の消費電力を抑えることを優先する方針である前記空調機の運転方針を取得した場合、前記空調機に設定された設定温度よりも低い設定温度を、前記端末装置に表示する、
請求項９に記載の制御用設定値表示変更方法。
【請求項１１】
前記空調機が冷房運転を行っている状態で、前記空調機の冷房機能を強化させることを優先する方針である前記空調機の運転方針を取得した場合、前記空調機に設定された設定温度よりも高い設定温度を、前記端末装置に表示する、
請求項９に記載の制御用設定値表示変更方法。
【請求項１２】
前記センサが取得したセンサ情報は、少なくとも前記空調機の配管温度を含む、
請求項７から請求項１１のいずれか一項に記載の制御用設定値表示変更方法。
【請求項１３】
空調機を制御する空調機制御システムにおける、前記空調機の制御パラメータ変更装置であって、
前記空調機は、少なくとも前記空調機に設定された設定温度に基づいて制御パラメータを決定して運転しており、
前記空調機はセンサを備え、
前記センサが検知したセンサ情報を取得する通信部と、
前記取得したセンサ情報に基づいて、前記空調機が劣化状態であるか否かを判定する判定部と、
前記空調機が劣化状態であると判定された場合、ユーザが選択した前記空調機の運転方針を前記通信部から取得し、
前記取得した運転方針に基づいて、前記制御パラメータを決定する決定部と、
を備える、
制御パラメータ変更装置。
【請求項１４】
空調機を制御する空調機制御システムにおける、前記空調機を制御する端末装置の制御用設定値表示変更装置であって、
前記空調機に設定された制御用設定値を、前記端末装置に表示しており、
前記空調機はセンサを備え、
前記センサが検知したセンサ情報を取得する通信部と、
前記取得したセンサ情報に基づいて、前記空調機が劣化状態であるか否かを判定する判定部と、
前記空調機が劣化状態であると判定された場合、ユーザが選択した前記空調機の運転方針を前記通信部から取得し、
前記取得した運転方針に基づいて、前記端末装置に表示する制御用設定値を決定する決定部と、
を備える、
制御用設定値表示変更装置。
【発明の詳細な説明】
【技術分野】
【０００１】
本発明は、空調機の制御パラメータを変更する制御パラメータ変更方法、制御用設定値表示変更方法、制御パラメータ変更装置、及び制御用設定値表示変更装置に関する。
【背景技術】
【０００２】
空調機は、使用頻度や使用状態、使用年数などの様々な要因により性能が低下する。例えば、空調機の経年に従い、配管からの冷媒の微小な漏れによる冷暖房の能力不足や、ファンモータなどの部品の劣化による風量不足、それらの要因による空調機の消費電力や消費電力量の増加などが起こる。
【０００３】
例えば特許文献１には、空調機の経年劣化の程度を判定する技術が提案されている。これにより多様な使用環境にある空調機の劣化の程度を知ることができ、空調機の改修や取替えの必要性や、その時期の予測を立てることができる。
【先行技術文献】
【特許文献】
【０００４】
【特許文献１】特許第４７７５３３８号公報
【発明の概要】
【発明が解決しようとする課題】
【０００５】
しかしながら、性能が劣化した空調機を使用するユーザにとって、空調機の経年劣化による冷暖房の能力不足や風量不足、消費電力の増加が問題であり、空調機の経年劣化によるユーザの不満を解消する手段が望まれている。
【０００６】
本発明の目的は、ユーザが希望する性能で経年劣化した空調機を運転するために、空調機の制御パラメータを変更する制御パラメータ変更方法、制御用設定値表示変更方法、制御パラメータ変更装置、及び制御用設定値表示変更装置を提供することである。
【課題を解決するための手段】
【０００７】
本発明の一態様に係る制御パラメータ変更方法は、  空調機を制御する空調機制御システムにおける、前記空調機の制御パラメータ変更方法であって、前記空調機は、少なくとも前記空調機に設定された設定温度に基づいて制御パラメータを決定して運転しており、前記空調機はセンサを備え、前記センサが検知したセンサ情報を取得し、前記取得したセンサ情報に基づいて、前記空調機が劣化状態であるか否かを判定し、前記空調機が劣化状態であると判定された場合、ユーザが選択した前記空調機の運転方針を取得し、前記取得した運転方針に基づいて、前記制御パラメータを決定し、前記空調機の制御パラメータを、前記決定したものに変更するものである。
【発明の効果】
【０００８】
本発明によれば、ユーザが希望する性能で、経年劣化した空調機を運転することができる。
【図面の簡単な説明】
【０００９】
【図１】本発明の実施の形態１におけるシステム全体構成の一例を示す図
【図２】本発明の実施の形態１における空調機の故障・経年劣化メンテナンスシステムの構成を示すブロック図
【図３】本発明の実施の形態１における空調機の故障・経年劣化メンテナンス処理を示すフローチャート図
【図４】本発明の実施の形態１における空調機の制御パラメータ変更装置の構成を示すブロック図
【図５】本発明の実施の形態１における空調機の制御パラメータ変更処理を示すフローチャート図
【図６】本発明の実施の形態１における空調機の経年劣化を通知する表示の一例を示す図
【図７】本発明の実施の形態１における空調機の制御パラメータを変更する操作の一例を示す図
【図８】本発明の実施の形態１における空調機の制御パラメータを変更する操作の一例を示す図
【図９】本発明の実施の形態２における空調機の制御パラメータ変更処理を示すフローチャート図
【図１０】本発明の実施の形態２における端末の表示上の制御用設定値と空調機の制御用設定値の一例を示す図
【図１１】本発明の実施の形態２における端末の表示上の制御用設定値変更による空調機の制御パラメータ変更の一例を示す図
【発明を実施するための形態】
【００１０】
以下、本発明の実施の形態について、図面を参照して詳細に説明する。なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。
【００１１】
（実施の形態１）
図１は、本発明の実施の形態１における遠隔で空調機１の運転状況とセンサ情報を監視するシステム０の構成の一例を示す図である。運転状況とは、例えば、空調機１の電源ＯＮまたは電源ＯＦＦの状態や冷房や暖房などの運転モードの状態、累積運転時間、空調機１の故障状態を表す故障診断コードなどである。センサ情報とは、例えば、空調機１の内部や周辺の温度情報やファンモータの回転数、室外機のファン回転数などである。この監視システム０は、空調機１と、リモコン２と、アダプタ３と、グローバルネットワーク４と、端末５と、故障・経年劣化メンテナンスシステム６とを含む。
【００１２】
空調機１はリモコン２と、例えば赤外線通信を介して通信される。アダプタ３は空調機１と、例えば有線を介して接続され、ネットワーク４と空調機１を接続する機能を有する。アダプタ３は空調機１の内部に搭載されてもよいし、無線を介して空調機１と接続されてもよい。また、アダプタ３はゲートウェイのように、プロトコルの変換および、パケット送受信機能を有しており、モデムのように異種の伝送路媒体へ変換する機能を有している。アダプタ３は一つの装置で構成されてもよいし、複数の装置間を有線、あるいは無線で接続することで、上記の機能を有してもよい。空調機１は、アダプタ３を介して一般公衆回線であるインターネットなどのグローバルネットワーク４に接続される。リモコン２は、空調機１とアダプタ３を介してグローバルネットワーク４に接続される。端末５（例えば、スマートフォン）は、グローバルネットワーク４に接続され、空調機１の運転状況を確認したり、空調機１の制御を行ったりすることができる。
【００１３】
故障・経年劣化メンテナンスシステム６はグローバルネットワーク４に接続され、空調機１のセンサ情報や運転状況を監視、収集する。また、故障・経年劣化メンテナンスシステム６はグローバルネットワーク４に接続しているため、例えば、Ｗｅｂサーバなどの手段によって、端末５、あるいは空調機１とアダプタ３を介してリモコン２と情報のやりとりを行なうことができる。なお、グローバルネットワーク４は一般公衆回線のため、図１には示していない他の空調機やその他の接続機器も接続されており、故障・経年劣化メンテナンスシステム６は複数台の空調機の監視や複数台の端末と情報のやりとりを行なうことが可能である。
【００１４】
図２は故障・経年劣化メンテナンスシステム６の内部構成図である。故障・経年劣化メンテナンスシステム６は通信装置６１、運転状況・センサ情報収集装置６２、故障・経年劣化診断装置６３、故障・経年劣化メンテナンスシステム管理装置６４、故障処理決定装置６５、制御パラメータ決定装置６６、記憶装置６７で構成される。ここで、通信装置６１、運転状況・センサ情報収集装置６２、故障・経年劣化診断装置６３、故障・経年劣化メンテナンスシステム管理装置６４、故障処理決定装置６５、記憶装置６７を総称して、故障処理装置６８と定義し、通信装置６１、運転状況・センサ情報収集装置６２、故障・経年劣化診断装置６３、故障・経年劣化メンテナンスシステム管理装置６４、制御パラメータ決定装置６６、記憶装置６７を総称して、制御パラメータ変更装置６９と定義する。
【００１５】
通信装置６１は、故障・経年劣化メンテナンスシステム６がグローバルネットワーク４に接続するための機能を有している。
【００１６】
運転状況・センサ情報収集装置６２は、空調機１の運転状況、センサ情報を収集する。
【００１７】
故障・経年劣化診断装置６３は、収集した空調機１の運転状況、センサ情報、あるいは過去に収集した空調機１の運転状況、センサ情報をもとに、空調機１が故障しているか、あるいは、故障の予兆があるかなどの診断を行なう。
【００１８】
故障・経年劣化メンテナンスシステム管理装置６４は、各装置の管理、制御を行なう。
【００１９】
故障処理決定装置６５は、例えば、監視担当者や修理担当者への空調機１の故障状況の通知や、故障部品や故障原因の特定などの故障対応処理を行なう。また、例えば、故障処理決定装置６５は、監視担当者へ空調機１の故障予兆の状況の通知や、故障発生時期の予測などの故障予兆対応処理を行なう。
【００２０】
制御パラメータ決定装置６６は、空調機１の制御パラメータ変更処理を行なう。制御パラメータとは、例えば、空調機１の設定温度や風量、ファンモータの回転数や圧縮機の回転数の上限値や下限値、膨張弁の開度、室外機のファン回転数などである。
【００２１】
記憶装置６７は、運転状況・センサ情報収集装置６２が収集した空調機１の過去から現在までの運転状況やセンサ情報、故障・経年劣化診断装置６３が判定した故障や経年劣化の判定結果などの情報を保存する。
【００２２】
なお、故障・経年劣化メンテナンスシステム６の全般的または具体的な態様は、システム、サーバ、方法、集積回路、コンピュータプログラムまたはコンピュータ読み取り可能なＣＤ−ＲＯＭなどの記録媒体で実現されてもよく、システム、サーバ、方法、集積回路、コンピュータプログラム及び記録媒体の任意な組み合わせで実現されてもよい。
【００２３】
図３を用いて、故障・経年劣化メンテナンスシステム６の動作について説明する。
【００２４】
図３は、故障・経年劣化メンテナンスシステム６の動作処理のフローチャート図である。故障・経年劣化メンテナンスシステム管理装置６４は、空調機１の運転状況、センサ情報の収集、故障・経年劣化診断を行なうために、定期的、継続的にこの処理を行なう。
【００２５】
まず、運転状況・センサ情報収集装置６２は、空調機１の運転状況、センサ情報を収集し、記憶装置６７に保存する（Ｓ１０１）。故障診断を行なわない場合（Ｓ１０２でＮｏ）には、この処理を終了する。
【００２６】
故障診断を行なう場合（Ｓ１０２でＹｅｓ）には、故障・経年劣化診断装置６３は、収集した運転状況、センサ情報、あるいは過去に収集した運転状況、センサ情報をもとに、空調機１が故障しているか否か診断する（Ｓ１０３）。故障診断では、例えば、空調機１の故障診断コードから診断してもよいし、運転状況やセンサ情報から、例えば、配管温度などの特定のセンサの値としきい値との大小関係を診断に用いてもよいし、深層学習などの分析により診断してもよい。空調機１が故障していると診断された場合（Ｓ１０４でＹｅｓ）には、故障処理決定装置６５は、例えば、故障部品や故障原因の特定や、監視担当者や修理担当者への空調機１の故障状況の通知などの故障対応処理を行ない（Ｓ１０５）、この処理を終了する。
【００２７】
空調機１が故障していないと診断された場合（Ｓ１０４でＮｏ）には、故障・経年劣化診断装置６３は、収集した運転状況、センサ情報、あるいは過去に収集した運転状況、センサ情報をもとに空調機１に故障発生の予兆があるか否か診断する（Ｓ１０６）。故障予兆診断では、運転状況やセンサ情報から、例えば、配管温度などの特定のセンサの値としきい値との大小関係を診断に用いてもよいし、深層学習などの分析により診断してもよい。空調機１に故障発生の予兆があると診断された場合（Ｓ１０７でＹｅｓ）、故障処理決定装置６５は、例えば、監視担当者へ空調機１の故障予兆の状況の通知や、故障発生時期の予測などの故障予兆対応処理を行ない（Ｓ１０８）、この処理を終了する。
【００２８】
空調機１に故障発生の予兆がないと診断された場合（Ｓ１０７でＮｏ）には、故障・経年劣化診断装置６３は、収集した運転状況、センサ情報、あるいは過去に収集した運転状況、センサ情報をもとに空調機１が経年劣化により性能が低下しているか否か診断する（Ｓ１０９）。経年劣化診断では、運転状況やセンサ情報から例えば、空調機１の運転累積時間と配管温度や消費電力などの特定のセンサの値としきい値との大小関係を診断に用いてもよいし、特定のセンサの値の過去から現在までの経年変化を診断に用いてもよいし、深層学習などの分析により診断を行なってもよいし、過去から現在までのセンサ情報を用いて空調機１の性能を推算して経年変化しているか否か診断してもよい。空調機１が経年劣化により性能が低下していないと診断された場合（Ｓ１１０でＮｏ）には、この処理を終了する。空調機１が経年劣化により性能が低下していると診断された場合（Ｓ１１０でＹｅｓ）には、制御パラメータ決定装置６６は空調機１の制御パラメータ変更処理を行ない（Ｓ１１１）、この処理を終了する。
【００２９】
次に、図４及び図５を用いて、制御パラメータ変更処理（Ｓ１１１）の詳細を説明する。
【００３０】
図４は制御パラメータ決定装置６６の内部構成図である。制御パラメータ決定装置６６は通信部６６１、判定部６６２、制御パラメータ計算部６６３、性能推算部６６４、制御部６６５で構成される。
【００３１】
通信部６６１は、他の装置と通信する。例えば、通信部６６１は、記憶装置６７から空調機１の過去から現在までの運転状況やセンサ情報を受信する。また、例えば、通信部６６１は、通信装置６１と通信し、グローバルネットワーク４を介して端末５に、あるいは空調機１とアダプタ３を介してリモコン２に、空調機１の性能情報を送信する。性能情報とは、例えば、配管や空調機１の周辺の温度情報に基づく冷暖房能力の推算結果や、ファンモータの回転数に基づく風量の推算結果、空調機の消費電力情報に基づく消費電力性能などの空調機１の性能を示す情報である。また、例えば、通信部６６１は、通信装置６１と通信し、端末５から、あるいはリモコン２からキー情報を受信する。キー情報とは、端末５、あるいはリモコン２のキーボードやタッチパネルからの入力情報である。
【００３２】
判定部６６２は、キー情報をもとに各処理を実施するか否か判定する。例えば、判定部６６２は、端末５、あるいはリモコン２からの制御パラメータ変更の決定キー情報の受信に基づき、空調機１の制御パラメータを変更するか否か判定する。
【００３３】
制御パラメータ計算部６６３は、キー情報をもとに空調機１の制御パラメータを計算する。なお、制御パラメータは算出されるのではなく、例えばデータベースに保存されているテーブル情報から適切な制御パラメータを選択して決定してもよい。
【００３４】
性能推算部６６４は、現在と過去のセンサ情報などをもとに空調機１の性能を推算する。例えば、性能推算部６６４は、記憶装置６７に保存された空調機１の現在とセンサ情報取得当初の配管や空調機１の周辺の温度情報をもとに冷暖房能力の推算や、ファンモータの回転数をもとに風量の推算、空調機の消費電力情報をもとに消費電力性能の推算を行なう。また、例えば、性能推算部６６４は、制御パラメータ計算部６６３が計算した制御パラメータによって空調機１が動作した場合に想定される性能を推算する。なお、性能を推算するために用いるセンサ情報の時期はセンサ情報取得当初に限らず、空調機１の運転開始時やセンサ情報取得開始から特定の期間後でもよく、センサ情報の収集期間に合わせて、任意の時期に変更してもよい。
【００３５】
制御部６６５は、上述した各部を制御する。
【００３６】
図５は、制御パラメータ変更処理（Ｓ１１１）のフローチャート図である。
【００３７】
まず、通信部６６１は、グローバルネットワーク４を介して端末５に、あるいは空調機１とアダプタ３を介してリモコン２に、空調機１が経年劣化により性能が劣化していることを通知する（Ｓ１１１０１）。図６は、空調機１が経年劣化していることを通知する際の、端末５、あるいはリモコン２の表示画面の一例である。図６に示すように、例えば、表示画面上に空調機１が経年劣化していることをメッセージ７によってユーザに通知する。ユーザは、例えば、画面上の確認キー８を押下することで、空調機１の経年劣化の状況を確認する。また、例えば、空調機１の経年劣化の状況を確認しない場合には、ユーザは非表示キー９を押下する。確認キー８、あるいは非表示キー９を押下することで、端末５、あるいはリモコン２は、制御パラメータ決定装置６６に既読キー情報を送信する。
【００３８】
次に、通信部６６１は、端末５、あるいはリモコン２から既読キー情報を受信するのを待つ（Ｓ１１１０２）。既読キー情報を受信した場合には、判定部６６２は、  既読キー情報をもとに、経年劣化確認処理を実施するか否かを決定する（Ｓ１１１０３）。既読キー情報が確認キー情報であった場合には、判定部６６２は、経年劣化確認処理を実施することを決定する。既読キー情報が非表示キー情報であった場合には、判定部６６２は、経年劣化確認処理を実施せず（Ｓ１１１０３でＮｏ）、この処理を終了する。
【００３９】
経年劣化確認処理を実施する場合（Ｓ１１１０３でＹｅｓ）には、性能推算部６６４は、記憶装置６７に保存された空調機１の現在とセンサ情報取得当初のセンサ情報から空調機１の性能を推算する（Ｓ１１１０４）。
【００４０】
次に、通信部６６１は、端末５、あるいはリモコン２に、空調機１の現在とセンサ情報取得当初の性能情報と、ユーザが空調機１の運転方針を選択するための選択肢となる複数の運転方針情報を送信する（Ｓ１１１０５）。運転方針情報とは、例えば、空調機１の消費電力性能を犠牲にして、風を強くするという運転や、空調機１の風の冷たさ（暖かさ）と風の強さを犠牲にして、消費電力を削減するという運転など、ユーザが経年劣化した空調機１を希望する性能で運転するための運転方針を示す情報である。
【００４１】
図７は、ユーザが空調機１の性能を確認し、複数の運転方針の中から希望する性能となるような運転方針を選択する際の、端末５、あるいはリモコン２の表示画面の一例である。図７に示すように、例えば、受信した性能情報をもとに、表示画面上に空調機１の現在とセンサ情報取得当初の性能を、消費電力性能や風の冷たさ（暖かさ）、風の強さなどの指標ごとにレーダチャート１０を用いてユーザに表示する。また、空調機１の消費電力性能を犠牲にして、風を強くするという運転や、空調機１の風の冷たさ（暖かさ）と風の強さを犠牲にして、消費電力を削減するという運転など、性能劣化した空調機１の今後の運転方針の選択肢１１を、ユーザに表示する。なお、空調機１の性能を表す表示は、レーダチャート１０に限らず、表やグラフを用いてもよい。
【００４２】
ユーザはレーダチャート１０に表示された空調機１の性能の情報を確認し、希望する性能となるように、選択肢１１から空調機１の運転方針を選択する、あるいは運転方針を変更しない場合には、運転方針を選択せずに決定キー１２を押下する。運転方針を選択する、あるいは決定キー１２を押下することで、端末５はグローバルネットワーク４を介して、あるいはリモコン２は空調機１とアダプタ３を介して、制御パラメータ決定装置６６に選択した運転方針情報、あるいは決定キー情報を送信する。
【００４３】
通信部６６１は、端末５、あるいはリモコン２からユーザが選択した空調機１の運転方針情報、あるいは決定キー情報を受信するのを待つ（Ｓ１１１０６、あるいはＳ１１１０６でＮｏの場合にはＳ１１１１０）。運転方針情報を受信した場合（Ｓ１１１０６でＹｅｓ）には、制御パラメータ計算部６６３は、空調機１の性能を変更するために、ユーザが選択した運転方針に合わせて、空調機１の制御パラメータを計算する（Ｓ１１１０７）。例えば、制御パラメータ計算部６６３は、空調機１が風の強さを犠牲にして、消費電力を削減する場合には、ファンモータの回転数を低く設定する。また、例えば、制御パラメータ計算部６６３は、消費電力性能を犠牲にして、風の冷却機能を改善する場合には、圧縮機の回転数の上限値を高く設定する。
【００４４】
次に、性能推算部６６４は、現在のセンサ情報と制御パラメータ計算部６６３が計算した制御パラメータをもとに、計算した制御パラメータによって空調機１が動作した場合に想定される空調機１の性能を推算する（Ｓ１１１０８）。例えば、性能推算部６６４は、ファンモータの回転数を低く設定する場合には、現在の性能よりも風量は少なくなり、消費電力性能は改善すると予測する。また、例えば、性能推算部６６４は、圧縮機の回転数の上限値を高く設定する場合には、現在の性能よりも冷暖房能力は改善し、消費電力性能は低くなると予測する。
【００４５】
次に、通信部６６１は、端末５、あるいはリモコン２に、空調機１の制御パラメータを変更した場合に想定される性能情報と、現在とセンサ情報取得当初の性能情報を送信する（Ｓ１１１０９）。
【００４６】
図８は、空調機１の運転方針を選択した場合に想定される性能情報をユーザが確認する際の端末５、あるいはリモコン２の表示画面の一例である。図８に示すように、例えば、受信した性能情報をもとに、表示画面上に空調機１の想定される性能と、現在とセンサ情報取得当初の性能を、消費電力性能や風の冷たさ（暖かさ）、風の強さなどの指標ごとにレーダチャート１０を用いてユーザに表示する。ユーザは表示された空調機１の性能情報を確認し、選択肢１１から既に選択した運転方針とは別の運転方針を選択する、あるいは表示された性能で空調機１を動作させる場合には、決定キー１２を押下する。運転方針を選択する、あるいは決定キー１２を押下することで、端末５、あるいはリモコン２は、制御パラメータ決定装置６６に運転方針情報、あるいは決定キー情報を送信する。
【００４７】
通信部６６１が、端末５、あるいはリモコン２から決定キー情報を受信した場合（Ｓ１１１１０でＹｅｓ）には、判定部６６２は、運転方針情報をもとに空調機１の現在の制御パラメータから変更するか否か判定する（Ｓ１１１１１）。例えば、端末５、あるいはリモコン２から既に運転方針情報を受信した後に、決定キー情報を受信した場合には、判定部６６２は、空調機１の制御パラメータを受信していた運転方針情報をもとに計算した制御パラメータに変更することを決定する。また、例えば、端末５、あるいは、リモコン２から運転方針情報を受信せずに決定キー情報を受信した場合には、判定部６６２は、空調機１の制御パラメータを変更しないことを決定する。制御パラメータを変更しない場合（Ｓ１１１１１でＮｏ）には、この処理を終了する。制御パラメータを変更する場合（Ｓ１１１１１でＹｅｓ）には、通信部６６１は、変更する制御パラメータを空調機１に送信し（Ｓ１１１１２）、この処理を終了する。
【００４８】
空調機１は、制御パラメータ変更装置が送信した制御パラメータを受信し、空調機１の制御パラメータを変更することで、ユーザが希望する性能で運転する。
【００４９】
以上、故障・経年劣化メンテナンスシステム６の動作について説明した。
【００５０】
（実施の形態２）
次に図面を参照しながら実施の形態２を詳細に説明する。上記の実施の形態１では、空調機１の制御パラメータを変更することで、ユーザが希望する性能で、空調機１を運転した。本実施の形態では、空調機１の制御パラメータを変更せずに、端末５、あるいはリモコン２の表示上の設定温度や風量、風向などの空調機能の制御用設定値のみを変更することで擬似的に空調機１の制御パラメータを変更する。
【００５１】
なお、本実施の形態における空調機１の監視システム０の構成の概要、故障・経年劣化メンテナンスシステム６の構成の概要、故障パラメータ変更装置の概要、及び制御パラメータ変更処理（Ｓ１１１）を除く故障・経年劣化メンテナンスシステム６の動作処理の概要は、図１から図４で説明した実施の形態１と同じであり、説明は省略する。
【００５２】
以下、本実施の形態における制御パラメータ変更処理（Ｓ１１１）を、図９を用いて説明する。
【００５３】
図９は、本実施の形態における制御パラメータ変更処理（Ｓ１１１）のフローチャート図である。なお、以下の図では、既に説明した処理と同様の処理には同一の符号を付しており、重複する説明を省略する場合がある。
【００５４】
ステップＳ１１１０１〜Ｓ１１１０６の処理は図５で説明した処理と同じであり、説明は省略する。
【００５５】
通信部６６１が、運転方針情報を受信した場合（Ｓ１１１０６でＹｅｓ）、制御パラメータ計算部６６３は、ユーザが選択した運転方針に合わせて、空調機１の性能を変更するために、端末５、あるいはリモコン２の表示上の制御用設定値を計算する（Ｓ１１１０７Ａ）。なお、表示上の制御用設定値は算出されるのではなく、例えばデータベースに保存されているテーブル情報から適切な表示上の制御用設定値を選択して決定してもよい。
【００５６】
図１０は、端末５、あるいはリモコン２に表示される表示上の設定温度、及び風量変更の一例である。図１０に示すように、例えば、ユーザが空調機１の冷房能力の強化を希望する場合には、制御パラメータ計算部６６３は、空調機１の設定温度と風量が、それぞれ１８℃と５段階中の３の状態を、端末５、あるいはリモコン２の表示上の設定温度１３と風量１４を２０℃と２に設定する。すなわち、ユーザが空調機１の表示上の設定温度と風量を２０℃と２に設定した場合には、空調機１は設定温度と風量を１８℃と３として動作することになる。あるいは、ユーザが空調機１の表示上の設定温度と風量を１８℃と３に設定した場合には、空調機１は設定温度と風量を１８℃以下と３以上（例えば、設定温度が１６℃と風量が４）として、動作することになる。これにより、端末５、あるいはリモコン２に表示される空調機１の表示上の設定温度、及び風量を変更することで、空調機１の制御パラメータを擬似的に変更し、空調機１の性能を変更する。
【００５７】
次に、性能推算部６６４は、現在のセンサ情報と制御パラメータ計算部６６３が計算した制御用設定値をもとに、端末５、あるいはリモコン２に表示される表示上の制御用設定値によって空調機１が動作した場合に想定される性能を推算する（Ｓ１１１０８Ａ）。例えば、性能推算部６６４は、表示上の設定温度を高く設定する場合には、現在の性能よりも冷暖房能力は改善すると予測し、消費電力性能は低くなると予測する。
【００５８】
次に、通信部６６１は、端末５、あるいはリモコン２に、空調機１の表示上の制御用設定値を変更した場合に想定される性能情報と、現在とセンサ情報取得当初の性能情報を送信する（Ｓ１１１０９Ａ）。
【００５９】
ステップＳ１１１１０〜Ｓ１１１１１の処理は図５で説明した処理と同じであり、説明は省略する。
【００６０】
表示上の制御用設定値を変更する場合（Ｓ１１１１１でＹｅｓ）には、通信部６６１は、変更する空調機１の表示上の制御用設定値を端末５、あるいはリモコン２に送信し（Ｓ１１１１２Ａ）、この処理を終了する。
【００６１】
端末５、あるいはリモコン２は、制御パラメータ変更装置が送信した表示上の制御用設定値を受信し、端末５、あるいはリモコン２の表示上の制御用設定値を変更することで、ユーザが希望する性能で運転する。図１１は、端末５、あるいはリモコン２の表示画面の一例である。図１１に示すように、例えば、空調機１の設定温度と風量は１８℃と３であるが、端末５、あるいはリモコン２の表示上の設定温度１３と風量１４を２０℃と２に変更して、ユーザに表示する。
【００６２】
本実施の形態によれば、実施の形態１の効果に加え、端末５、あるいはリモコン２の表示上の制御用設定値を変更するのみで、空調機１の制御パラメータを擬似的に変更することができる。したがって、空調機１の制御パラメータを変更する必要がないため、制御パラメータを変更する機能を有しない空調機に対しても、ユーザの希望する性能で空調機を運転することができる。
【００６３】
以上、本発明の実施の形態に係る空調機の制御パラメータ変更システムについて説明したが、本発明は、この実施の形態に限定されるものではない。
【産業上の利用可能性】
【００６４】
本発明は、経年変化により性能が劣化した空調機に対して、ユーザが希望する性能で運転するための空調機の制御パラメータ変更方法、制御用設定値表示変更方法、制御パラメータ変更装置、及び制御用設定値表示変更装置として有用である。
【符号の説明】
【００６５】
０  監視システム
１  空調機
２  リモコン
３  アダプタ
４  グローバルネットワーク
５  端末
６  故障・経年劣化メンテナンスシステム
７  メッセージ
８  確認キー
９  非表示キー
１０  レーダチャート
１１  選択肢
１２  決定キー
１３  表示上の設定温度
１４  表示上の風量
６１  通信装置
６２  運転状況・センサ情報収集装置
６３  故障・経年劣化診断装置
６４  故障・経年劣化メンテナンスシステム管理装置
６５  故障処理決定装置
６６  制御パラメータ決定装置
６７  記憶装置
６８  故障処理装置
６９  制御パラメータ変更装置
６６１  通信部
６６２  判定部
６６３  制御パラメータ計算部
６６４  性能推算部
６６５  制御部
【図１】
2016065680.tif 000003
【図２】
2016065680.tif 000004
【図３】
2016065680.tif 000005
【図４】
2016065680.tif 000006
【図５】
2016065680.tif 000007
【図９】
2016065680.tif 000008
【図１０】
2016065680.tif 000009
【図６】
2016065680.tif 000010
【図７】
2016065680.tif 000011
【図８】
2016065680.tif 000012
【図１１】
2016065680.tif 000013